(57)【特許請求の範囲】
【請求項１】
遊技領域が画成された遊技盤に入賞装置が設けられた遊技機であって、
前記入賞装置は、
遊技球が入賞可能な入賞空間が前方に開口するよう内部画成された本体部と、
前記本体部の前側に配設され、前記入賞空間と対応する位置に前後に開口する入賞口が開設された板状部材と、
前記本体部の前側に左右に離間して設けられ、左右方向に貫通する貫通孔が形成された一対の支持部と、
前記支持部の間に配設されて、前記入賞口を開閉自在とする開閉扉と、
前記開閉扉の左右の側部に前記貫通孔に整合するよう設けられ、開閉扉を回動自在に軸支する支軸ピンが、該貫通孔を介して抜き出し可能に挿通される軸受凹部と、
前記板状部材の裏側に左右に離間して設けられ、該板状部材を本体部に取付けた際に、前記支持部の側方に位置して前記貫通孔を閉塞する一対の押え部とを備え、
前記押え部には、前記支持部側の面に、前記板状部材を本体部に取付けた際に前記支持部に対向する閉塞面と、該閉塞面の後方に連接されて、前側から裏側に向かうにつれて該支持部から離間するよう傾斜した傾斜面とが形成され、
前記板状部材と本体部とを取付ける際に、前記傾斜面で前記支軸ピンを前記開閉扉側へ案内し得ると共に、前記閉塞面が前記貫通孔を閉塞するよう構成した
ことを特徴とする遊技機。
【請求項２】
前記支軸ピンは、前記貫通孔を介して前記軸受凹部に挿通した状態で、該支軸ピンの外側の端部が前記支持部の側端面より内側に位置する請求項１記載の遊技機。
【請求項３】
前記本体部は、下ケースおよび上ケースから構成されると共に、前記支持部は、該下ケースに設けた下支持体および上ケースに設けた上支持体から構成され、該上支持体の左右の幅寸法は、下支持体より小さく設定されている請求項１または２記載の遊技機。
【発明の詳細な説明】
【技術分野】
【０００１】
この発明は、遊技領域が画成された遊技盤に入賞装置が設けられた遊技機に関するものである。
【背景技術】
【０００２】
遊技機の代表例の一つであるパチンコ機は、機内にセットされる遊技盤の盤面にパチンコ球が打出される遊技領域が画成されて、該遊技盤における遊技領域の裏側に、各種図柄を変動表示して図柄変動演出を行なう液晶式やドラム式等の図柄表示装置が配設される。また、図柄表示装置の下方位置に、図柄表示装置での図柄変動ゲームを開始させる契機となる始動入賞装置が配設されている。この図柄変動ゲームの結果、図柄表示装置に特定の図柄の組合わせ(大当り図柄)が表示されることで、遊技者に有利な特別遊技(大当り遊技)を発生するよう構成されている。前記特別遊技が発生すると、図柄表示装置における演出に合わせて、遊技盤に配設した特別入賞装置を開放した後に、一旦閉鎖する動作パターン(ラウンド遊技)を所定回数繰返し、遊技者に多数の賞球を払出す好機を与えるようになっている。
【０００３】
例えば、特許文献１に示すように、前記特別入賞装置は、遊技盤の盤面に配設されて特別入賞口を備えた装置本体と、該装置本体に軸支されて特別入賞口を開閉自在に閉鎖する開閉扉と、装置本体に設けられて開閉扉を開閉させる駆動手段とから基本的に構成されている。前記装置本体は、遊技盤の盤面に配設されて特別入賞口が開設された板状部材と、特別入賞口に対応する入賞空間が内部画成された本体部とから構成されている。更に、前記本体部は、駆動手段を収容する本体ケースと、該ケースを上方から覆蓋する蓋体とから構成される。
【０００４】
前記本体ケースの前部には、左右に離間して一対の軸受凹部が設けられている。この軸受凹部は、他方の軸受凹部に対向する側の内方および上方が開放した平面視でコ字状に形成されており、開閉扉の左右の側部に突設した支軸ピンを両軸受凹部で収容保持し得るよう構成されている。そして、支軸ピンを軸受凹部に保持した状態で、前記蓋体を本体ケースに取付けることで、支軸ピンが本体ケース(軸受凹部)および蓋体に上下の関係で挟み込まれ、開閉扉が本体部に回動自在に取付けられるようになっている。
【先行技術文献】
【特許文献】
【０００５】
【特許文献１】特許第４０１７８２０号公報
【発明の概要】
【発明が解決しようとする課題】
【０００６】
ところで、開閉扉は、遊技領域に露出して遊技球が直接接触する部材であるため、特別入賞装置の他の部材に比べ劣化が早く、開閉扉だけ交換する必要が生じる場合がある。しかしながら、開閉扉の支軸ピンは、本体ケースおよび蓋体に挟み込まれた状態となっているため、開閉扉を本体部から取外すには、本体部を本体ケースおよび蓋体に分解しなければならない不都合がある。
【０００７】
また、開閉扉を本体部に取付ける場合には、開閉扉の支軸ピンを本体ケースの軸受凹部にセットし、該支軸ピンを本体ケースおよび蓋体で挟んだ状態として、開閉扉、本体ケースおよび蓋体をまとめて組付ける必要がある。従って、開閉扉の取付け・取外し作業が非常に煩雑となり、作業効率が低下する要因となっていた。また、軸受凹部は、コ字状に形成されて左右に貫通していないので、軸受凹部内に塵や埃等が溜りやすく、開閉扉の開閉動作が不調・不能となる虞がある。しかも、軸受凹部の清掃等をする際には、本体部を本体ケースおよび蓋体に分解して軸受凹部を開放させる必要があり、メンテナンス作業が極めて非効率となる問題がある。
【０００８】
すなわち、本発明は、従来技術に係る遊技機に内在する前記問題に鑑み、これらを解決するべく提案されたものであって、開閉扉を本体部に対し容易に着脱し得る遊技機を提供することを目的とする。
【課題を解決するための手段】
【０００９】
前記課題を解決し、所期の目的を達成するため、本発明に係る遊技機は、
遊技領域(16)が画成された遊技盤(18)に入賞装置(62)が設けられた遊技機であって、
前記入賞装置(62)は、
遊技球が入賞可能な入賞空間(122)が前方に開口するよう内部画成された本体部(108)と、
前記本体部(108)の前側に配設され、前記入賞空間(122)と対応する位置に前後に開口する入賞口(60)が開設された板状部材(106)と、
前記本体部(108)の前側に左右に離間して設けられ、左右方向に貫通する貫通孔(150,150)が形成された一対の支持部(144,144)と、
前記支持部(144,144)の間に配設されて、前記入賞口(60)を開閉自在とする開閉扉(74)と、
前記開閉扉(74)の左右の側部に前記貫通孔(150,150)に整合するよう設けられ、開閉扉(74)を回動自在に軸支する支軸ピン(152,152)が、該貫通孔(150,150)を介して抜き出し可能に挿通される軸受凹部(154,154)と、
前記板状部材(106)の裏側に左右に離間して設けられ、該板状部材(106)を本体部(108)に取付けた際に、前記支持部(144,144)の側方に位置して前記貫通孔(150,150)を閉塞する一対の押え部(188,188)とを備え、
前記押え部には、前記支持部側の面に、前記板状部材(106)を本体部(108)に取付けた際に前記支持部(144,144)に対向する閉塞面(190)と、該閉塞面(190)の後方に連接されて、前側から裏側に向かうにつれて該支持部(144,144)から離間するよう傾斜した傾斜面(192,192)とが形成され、
前記板状部材(106)と本体部(108)とを取付ける際に、前記傾斜面(192,192)で前記支軸ピン(152,152)を前記開閉扉(74)側へ案内し得ると共に、前記閉塞面(190)が前記貫通孔(150,150))を閉塞するよう構成したことを特徴とする。
請求項１の発明によれば、側方に向けて貫通する貫通孔を介して支軸ピンを軸受凹部に挿通することで、開閉扉を本体部に取付け得るので、本体部から板状部材を取外した状態とすれば、開閉扉を本体部に容易に着脱することができる。従って、開閉扉の交換作業が容易となって、作業効率を向上し得る。また、開閉扉を本体部から容易に取外すことができることから、メンテナンス性を向上し得る。更に、支軸ピンが挿通される貫通孔は側方に貫通しているので、該軸受凹部や貫通孔内に塵や埃が溜り難く、開閉扉に動作不良が生じるのを抑制することができる。
そして、押え部の内側面に前側から裏側に向かうにつれて支持部から離間するよう傾斜面を形成したので、支軸ピンが貫通孔から突出していても、板状部材を本体部に取付ける際に、押え部の内側面で支軸ピンを案内しつつ軸受凹部側へ押し込むことができる。従って、支軸ピンが貫通孔から突出していても、板状部材を引っ掛けることなくスムーズに本体部に取付けることが可能となる。また、貫通孔から突出した支軸ピンに押え部が引っ掛かって、支軸ピンが折曲したり、板状部材等が破損するのを防止し得る。
更に、左右方向へ離間した押え部が、両支持部を外側から挟むように位置して閉塞面が各貫通孔を閉塞するので、該貫通孔に挿通された支軸ピンを貫通孔から脱落不能とし得る。
【００１０】
請求項２に係る遊技機では、前記支軸ピン(152,152)は、前記貫通孔(150,150)を介して前記軸受凹部(154,154)に挿通した状態で、該支軸ピン(152,152)の外側の端部が前記支持部(144,144)の側端面より内側に位置している。
請求項２の発明によれば、支軸ピンに押え部が引っ掛かって、支軸ピンが折曲したり、板状部材等が破損するのを防止し得る。
【００１１】
請求項３に係る遊技機では、前記本体部(108)は、下ケース(112)および上ケース(116)から構成されると共に、前記支持部(144,144)は、該下ケース(112)に設けた下支持体(146,146)および上ケース(116)に設けた上支持体(148,148)から構成され、該上支持体(148,148)の左右の幅寸法は、下支持体(146,146)より小さく設定されている。
請求項３の発明によれば、支持部を上支持体および下支持体で構成すると共に、上支持体の幅寸法を下支持体より小さくしたので、支持部と支軸ピンとの摩擦を軽減することができる。従って、開閉扉をスムーズに開閉動作させることができ、開閉扉の開閉不良と云った不具合を発生し難くし得る。
【発明の効果】
【００１２】
本発明に係る遊技機によれば、開閉扉を本体部に対し容易に着脱することが可能となる。
【図面の簡単な説明】
【００１３】
【図１】本発明の好適な実施例に係るパチンコ機の遊技盤を示す正面図である。
【図２】実施例に係るパチンコ機を示す正面図である。
【図３】実施例に係る遊技盤の要部を示す拡大正面図である。
【図４】実施例に係る始動案内装置の縦断面図である。
【図５】実施例に係る特別入賞装置を前側から見た状態で示す分解斜視図である。
【図６】実施例に係る特別入賞装置を後側から見た状態で示す分解斜視図である。
【図７】実施例に係る本体部を示す分解斜視図である。
【図８】実施例に係る特別入賞装置の縦断面図である。
【図９】実施例に係る特別入賞装置の装置本体を示す横断面図である。
【図１０】実施例に係る本体部に板状部材を取付ける様子を示す平面図であって、板状部材のみ破断した状態で示す。
【図１１】実施例に係る特別入賞装置の底面図である。
【図１２】実施例に係る開閉扉と連繋機構との連結構造を示す斜視図であって、開閉扉が閉鎖姿勢にある状態を示す。
【図１３】実施例に係る開閉扉と連繋機構との連結構造を示す斜視図であって、開閉扉が開放姿勢にある状態を示す。
【図１４】実施例に係る特別入賞装置を開閉扉が開放した状態で示す平面図であって、パチンコ球が開閉扉上を転動する様子を示す。
【図１５】実施例に係る特別入賞装置を示す平面図であって、板状部材のみ破断した状態で示す。
【図１６】変更例１に係る特別入賞装置と透明部材との位置関係を示す縦断面図である。
【図１７】変更例２に係る特別入賞装置の縦断面図であって、(ａ)は開閉扉が閉鎖姿勢にある状態を示し、(ｂ)は開閉扉が開放姿勢にある状態を示す。
【図１８】変更例２に係る特別入賞装置を示す正面図である。
【発明を実施するための形態】
【００１４】
次に、本発明に係る遊技機につき、好適な実施例を挙げて、添付図面を参照しながら、以下詳細に説明する。なお、実施例では、遊技球としてパチンコ球を用いて遊技を行なうパチンコ機を例に挙げて説明する。また、以下の説明において、「前」・「後」・「左」・「右」とは、図１に示すようにパチンコ機に設置した遊技盤を正面側(遊技者側)から見た状態を基準として、遊技者側を前方と指称し、遊技盤の裏側を後方と指称するものとする。
【実施例】
【００１５】
〔パチンコ機について〕
実施例に係るパチンコ機の概略構成について、図１または図２を参照して説明する。図２に示すように、パチンコ機１０は、遊技店に設けられた「島」とも称される設置枠台(図示せず)に固定される外枠１２と、該外枠１２に対して着脱および開閉可能に枢支された中枠１４とを備えている。また中枠１４には、所要の遊技領域１６が画成される遊技盤１８が着脱交換可能に取付けられると共に、中枠１４の前面側に着脱および開閉可能に前枠２０が枢支されている。前枠２０は、中枠１４に配設した遊技盤１８を透視保護する透明板２２を備え、この透明板２２の下方位置にパチンコ球を貯留可能な上球皿２４が組付けられており、前枠２０の開閉に合わせて上球皿２４が一体的に開閉するようになっている。更に、中枠１４の前側における前枠２０の下方には、パチンコ球を貯留可能な下球皿２６を形成した球皿部材２８が着脱および開閉可能に組付けられている。
【００１６】
前記中枠１４における球皿部材２８の右側部には、操作ハンドル３０が設けられており、該操作ハンドル３０を操作することで、中枠１４に配設した打球発射機構(図示せず)が作動して上球皿２４に貯留したパチンコ球を遊技盤１８へ向けて打出すよう構成されている。操作ハンドル３０は、常には打球発射機構の作動を停止する状態となる方向(反時計回り)に付勢され、遊技者が時計回りに回動操作すると打球発射機構が作動され、回動操作の度合によりパチンコ球の打出し強度が調節可能となっている。
【００１７】
〔遊技盤について〕
図１に示すように、実施例の遊技盤１８は、前記遊技盤１８の左下隅部、左上隅部および右上隅部にかけて半円形状に配置された外レール３２ａと、該外レール３２ａの内側左部に離間して遊技盤１８の中央下部から左上隅部にかけて配置される円弧状の内レール３２ｂとからなる案内レール３２が配設されている。遊技盤１８における左側部には、外レール３２ａと内レール３２ｂとの間に、打球発射機構で打出したパチンコ球が案内される打出し通路３４が画成されている。外レール３２ａおよび内レール３２ｂは金属薄板から形成され、内レール３２ｂの上端部には、遊技領域１６に打出したパチンコ球が打出し通路３４に戻ることを防止する弾性部材３６が配設されている。
【００１８】
前記遊技盤１８の四隅には、樹脂製のコーナー飾り３８が複数設けられている。右側のコーナー飾り３８の側面は、前記外レール３２ａの右端部に沿うよう湾曲した第１側面３８ａと、前記内レール３２ｂと同心状に延在すると共に該内レール３２ｂと略同一の曲率半径で湾曲した第２側面３８ｂとで構成される。第２側面３８ｂの下端は、遊技盤１８の中央下部に位置して前記内レール３２ｂの右端部に連接されている。そして、前記外レール３２ａの上部が規定する上に凸の円弧と、内レール３２ｂおよび右側のコーナー飾り３８の第２側面３８ｂが規定する下に凸の円弧とにより、パチンコ球が流下可能な略円形状の遊技領域１６が画成されている。
【００１９】
前記遊技盤１８には、各種の図柄を変動・停止表示して特別図柄変動ゲームを行なう液晶式やドラム式等の特別図柄表示装置４６が臨む図柄開口部４０ａが開設された枠状装飾部材４０が配設されると共に、該枠状装飾部材４０の下方位置に、パチンコ球が入賞可能な始動口４８を備えた始動入賞装置５０が配設されている。実施例の始動入賞装置５０は、始動口４８が上方に常に開放した状態とされる。また、遊技盤１８における始動入賞装置５０の右側には、前後方向に開放する始動口(図３参照)５２を備えると共に、パチンコ球を遊技領域１６の中央下部へ向けて案内する始動案内装置(案内部材)５４が配設されている。そして、前記始動入賞装置５０または始動案内装置５４の何れかの入賞口４８,５２にパチンコ球が入賞することで、特別図柄表示装置４６での特別図柄変動ゲームが開始されるよう構成される。この特別図柄変動ゲームの結果、前記特別図柄表示装置４６に特定の図柄組合わせ(例えば、同一図柄の三つ揃え)が表示されることで遊技者に有利な大当り(特別遊技)が発生するよう構成されている。なお、以下の説明では、始動入賞装置５０の始動口を第１始動口４８、始動案内装置５４の始動口を第２始動口５２と指称する。
【００２０】
前記遊技盤１８における始動入賞装置５０の下方位置には、大当り発生時に特別入賞口(入賞口)６０を開放してパチンコ球の入賞を許容する特別入賞装置(入賞装置)６２が配設され、該特別入賞口６０にパチンコ球が入賞することで、球払出装置(図示せず)から前記上球皿２４に賞球が払出されるようになっている。なお、遊技盤１８の左下部には、遊技領域１６を流下するパチンコ球が入賞可能な一般入賞口６４ａを備えた一般入賞装置６４が複数箇所に設けられると共に、該遊技盤１８における遊技領域１６の最下方位置には、始動入賞装置５０や始動案内装置５４、特別入賞装置６２、一般入賞装置６４の入賞口４８,５２,６０,６４ａに入賞しないパチンコ球を排出するアウト口６６を設けてある。また、遊技盤１８における遊技領域１６の左側部には、遊技釘により上下に開放する落下口６７が複数形成され、該落下口６７を通過したパチンコ球が前記アウト口６６から排出されるよう構成されている。
【００２１】
略円形状に形成された前記枠状装飾部材４０は、前記遊技領域１６側に臨む外側面が遊技盤１８の盤面から前方へ突出して設けられており、遊技領域１６を流下するパチンコ球が枠状装飾部材４０の外側面に接触するよう構成されている。また、前記外レール３２ａの右端部、右側のコーナー飾り３８の第２側面３８ｂおよび枠状装飾部材４０の右外側面により、１個のパチンコ球が通過可能な円弧状の右通路４２が画成されている。そして、遊技者が操作ハンドル３０を最大限に回動操作する所謂「右打ち」を行なった場合に、前記打出し通路３４を通過したパチンコ球が外レール３２ａに沿って遊技領域１６の右側部に打出され、前記右通路４２を介して遊技領域１６の右側下部に打出されるよう構成される。一方、パチンコ球が右通路４２に到達し得ない程度に打出し強度を弱めた所謂「左打ち」を行なうと、パチンコ球は、遊技盤１８に植設された遊技釘や枠状装飾部材４０の外側面等に跳ね返されて、遊技領域１６の左側部を流下するよう構成される。なお、右側のコーナー飾り３８には、前記第１側面３８ａの下端および第２側面３８ｂの上端の間に左方へ開放した設置スペース３８ｃが画成されており、該設置スペース３８ｃ内に前記外レール３２ａの右開放端が臨んでいる。前記スペース３８ｃには、ゴム等からなる緩衝部材４４が設けられており、パチンコ球を右打ちした際に、外レール３２ａに沿って移動したパチンコ球を衝突させてコーナー飾り３８に対する負荷を軽減している。
【００２２】
前記遊技盤１８における始動案内装置５４の右側上方には、上下方向に開放した始動通過口５８が配設され、該始動通過口５８をパチンコ球が通過すると、図示しない普通図柄表示部において普通図柄の変動が開始され、所定時間経過後に普通図柄表示部に普通図柄が停止表示される。前記普通図柄表示部に当り図柄が表示されて、普通図柄当りが発生すると、前記始動案内装置５４の作動部材５６(後述)が進退動作して前記第２始動口５２へのパチンコ球の入賞が許容される。ここで、前記普通図柄表示部での普通図柄の変動時間は、パチンコ機１０に設定された遊技状態に応じて設定されている。また、普通図柄表示部において普通図柄の変動が開始された結果、普通図柄当りが発生する確率についても、パチンコ機１０の遊技状態に応じて変化するよう設定される。実施例のパチンコ機は、遊技状態として、通常状態、確率変動状態および時間短縮状態が設定されており、確率変動状態および時間短縮状態では、前記普通図柄表示部での普通図柄の変動時間が通常状態に較べて短縮される。また、前記確変状態および時間短縮状態では、前記普通図柄当りが発生する確率が、通常状態に較べて高く設定されている。確変状態とは、特定の特別図柄が揃って発生した特別遊技が終了した後、次回の大当りが発生するまでの間の遊技状態を指しており、当該確変状態では、通常状態に較べて大当り確率が高く設定されている。また、時間短縮状態とは、前記特定の特別図柄以外の特別図柄が揃って発生した特別遊技が終了した後、所定回数(例えば１００回)の特別図柄変動ゲームが終了するまでの間の遊技状態を指しており、当該時間短縮状態では、通常状態と同じ大当り確率に設定されている。そして、確率変動状態および時間短縮状態において普通図柄の変動時間を短縮すると共に、前記普通図柄当りの発生確率を高くすることで、パチンコ球の前記第２始動口５２への入賞確率を高くして遊技者にとって有利な遊技状態となる。そのため、確率変動状態および時間短縮状態において、遊技者は、パチンコ球を第２始動口５２に入賞させるべく右打ちを行なうことになる。
【００２３】
前記遊技盤１８における始動案内装置５４の右上側には、右打ちにより前記右通路４２を介して遊技領域１６の右側下部に打出されたパチンコ球を該始動案内装置５４の球入口６８(後述)へ案内する第１,第２案内路７０,７２が、複数の遊技釘により画成されている。前記第１案内路７０は、上下方向に延在して形成されており、パチンコ球を始動案内装置５４の球入口６８側へ向けて下方へ案内するよう構成される。また第２案内路７２は、前記始動通過口５８の出口側に連通しており、該始動通過口５８を通過したパチンコ球を、第２案内路７２を介して前記始動案内装置５４の球入口６８側に流下させるようになっている。図３に示すように、遊技盤１８の盤面には、特別入賞装置６２の開閉扉７４(後述)の右側縁部(案内部材側の側縁部)７６の上方に、上下方向に開放する球通過口７８が複数の遊技釘により形成され、遊技領域１６の右側下部を流下するパチンコ球を球通過口７８を介して下方へ送るようになっている。この球通過口７８と前記始動入賞装置５０との間には、複数の遊技釘により通過規制部８０が形成されており、該通過規制部８０により、遊技領域１６の右側下部を流下したパチンコ球が始動入賞装置５０と球通過口７８との間を通過し得ないようになっている。すなわち、右打ちにより遊技領域１６の右側下部に打出された殆どのパチンコ球は、遊技領域１６の左側部へ流入することなく球通過口７８を介して下方へ送られるようになっている。
【００２４】
〔始動案内装置について〕
図３,４に示すように、前記始動案内装置５４は、遊技盤１８の盤面に取付けられる取付基板８２と、該取付基板８２の前側に配設される装飾体８４と、取付基板８２の後側に配設される本体ケース８６とから基本的に構成され、遊技盤１８における特別入賞装置６２の右側上方に位置して設けられる。前記取付基板８２の上部には、前後方向に開放する前記第２始動口５２が開設され、パチンコ球の第２始動口５２への入賞を制御する作動部材５６が、該第２始動口５２に前後方向に進退自在に設けている。また、前記取付基板８２の前面には、左右方向に延在してパチンコ球を左方へ案内する案内部８８が一体成形されている。図３に示すように、この案内部８８は、取付基板８２の右側縁部から左側縁部に亘って第２始動口５２の下方を通るよう配設されており、案内部８８の上面は、右から左に向かうにつれて緩やかに下方傾斜している。また、前記案内部８８の左側の傾斜下端部は、遊技盤１８に設けた前記球通過口７８を指向しており、案内部８８の上面を流下するパチンコ球は、前記第２始動口５２の前側を通過した後、案内部８８の傾斜下端部から球通過口７８へ放出される(図３参照)。
【００２５】
前記装飾体８４は、案内部８８の全体を前側から覆うように前記取付基板８２に取付けられており、該装飾体８４は、取付基板８２に対して案内部８８の前後幅だけ離間している。前記装飾体８４の後面には、後方へ突出すると共に内部にパチンコ球の流通空間が画成された湾曲壁部９０が形成されている(図３参照)。この湾曲壁部９０の上部には、上方に開放する普通入賞口９２が開設されており、該入賞口９２にパチンコ球が入賞すると、所定数の賞球が前記上球皿２４に払出されるようになっている。また、前記湾曲壁部９０の右側部、案内部８８の右上端部、取付基板８２および装飾体８４により、斜め右上方に開放する球入口６８が画成され、該球入口６８を介してパチンコ球が装飾体８４および取付基板８２の間に流入して、前記案内部８８を流下するよう構成される。
【００２６】
ここで、前記球入口６８は、前記遊技領域１６において、右打ちにより遊技領域１６の右側下部を流下したパチンコ球のみが通過し得る位置に設けられている。また、前述したように、遊技盤１８には、パチンコ球を始動案内装置５４の球入口６８側へ案内する前記第１,第２案内路７０,７２が設けてある。従って、実施例に係るパチンコ機１０では、右打ちをすることで、殆どのパチンコ球を前記案内部８８を介して前記球通過口７８へ放出し、該球通過口７８から特別入賞口６０側へ効率よくパチンコ球を送るよう構成されている。一方、遊技盤１８の遊技領域１６の左側部には、前記始動案内装置５４の如きパチンコ球を特別入賞口６０へ案内する部材は設けられていない。また、遊技領域１６の左側部には、パチンコ球を排出する前記落下口６７やパチンコ球が入賞可能な一般入賞装置６４が設けられているため、左打ちをした場合、特別入賞口６０に到来するパチンコ球の割合は、右打ちをした場合に較べて小さくなる。
【００２７】
図４に示すように、前記遊技盤１８の裏側に配設される前記本体ケース８６は、前記第２始動口５２を後方から覆うよう取付基板８２の裏面に取付けられている。前記本体ケース８６の前部は開放しており、該本体ケース８６の内部と第２始動口５２とが連通している。本体ケース８６の後部には、前記作動部材５６を進退動作させる第１ソレノイド(駆動手段)９４がプランジャ９４ａを本体ケース８６の内部に臨ませた状態で固定されている。また、本体ケース８６の内部には、前後方向に進退自在な前記作動部材５６と、該作動部材５６および第１ソレノイド９４のプランジャ９４ａを連結する連結機構９６とが収納されている。
【００２８】
前後方向に延在する板状に形成された前記作動部材５６は、前記本体ケース８６の底部に摺動自在に配設されており、本体ケース８６の内部において作動部材５６の前端部５６ａが第２始動口５２に位置する後方位置から(図４の実線参照)、該作動部材５６の前端部５６ａが第２始動口５２より前方に位置して前記案内部８８の上方に露出した前方位置(図４の２点鎖線参照)までスライドし得るよう構成される。作動部材５６の前端部５６ａは、上方に突出しており、前記後方位置では、作動部材５６の前端部５６ａが第２始動口５２の開口寸法を狭めて該第２始動口５２へのパチンコ球の入賞を不能とする。一方、前記前方位置では、前記第２始賞口５２を開放すると共に、前記球入口６８を通過したパチンコ球を作動部材５６で受け止め得るようになっている。そして、パチンコ球を受け止めた状態で、作動部材５６が後方位置までスライドすることで、パチンコ球が第２始動口５２に入賞するよう構成される。
【００２９】
前記連結機構９６は、前記プランジャ９４ａの先端部に設けられて該プランジャ９４ａと共に前後方向にスライド可能なリンク部９８と、該リンク部９８および前記作動部材５６に連結される揺動連結部１００とから構成される。前記揺動連結部１００は、本体ケース８６の内部において左右方向に延在する軸部１００ａを介して軸支され、前記リンク部９８が前後方向にスライドすることで軸部１００ａを中心に揺動するよう構成される。また、揺動連結部１００の下端部は前記作動部材５６の後部に連結されており、揺動連結部１００が揺動することで作動部材５６が進退動作するよう構成される。すなわち、第１ソレノイド９４が非励磁状態にあっては、前記リンク部９８がプランジャ９４ａと共に前方へ突出しており、揺動連結部１００は下端部を後方に位置させて(図４の実線参照)、前記作動部材５６は後方位置に停止される。一方、第１ソレノイド９４が励磁状態にあっては、前記リンク部９８がプランジャ９４ａと共に後方へ引き込まれ、揺動連結部１００は、下端部を前方に位置させた姿勢となって(図４の２点鎖線参照)、前記作動部材５６を前方位置までスライドさせるようになっている。
【００３０】
〔特別入賞装置について〕
図５,６に示すように、前記特別入賞装置６２は、前方に開放してパチンコ球が通過可能な横長矩形状の特別入賞口６０を備えた装置本体１０２と、該装置本体１０２に設けられ、特別入賞口６０を開閉する開閉扉７４と、装置本体１０２に設けられ、開閉扉７４を開閉動作させる第２ソレノイド(駆動手段)１０４とから基本的に構成され、前記遊技盤１８の中央下部に配設されている。前記装置本体１０２は、前記特別入賞口６０が開設された板状部材１０６と、該板状部材１０６が前側に取付けられる本体部１０８とから構成され、遊技盤１８に開設した前後方向に開放する取付孔(図示せず)に本体部１０８を前側から挿入した状態で、板状部材１０６が遊技盤１８に固定される。
【００３１】
〔本体部について〕
前記本体部１０８は、図７に示すように、前記第２ソレノイド１０４や球検知スイッチ(球検知手段)１１０等が取付けられる下ケース１１２と、該下ケース１１２に対し上側から組付けられる上ケース１１６とから構成され、該上ケース１１６の左右に設けた上下方向に開放する通孔１１６ａ,１１６ａを介して固定ネジ１１８,１１８を下ケース１１２のネジ孔１１２ａ,１１２ａに螺挿することで、上ケース１１６および下ケース１１２はネジ止めされる。前記本体部１０８には、上ケース１１６および下ケース１１２を組付けた際に前方に開放する入賞空間１２２が画成されており、該入賞空間１２２の前方開口部(以下、本体開口部１２０という)が、図８に示すように、前記板状部材１０６の特別入賞口６０に後側から整合する状態で板状部材１０６および本体部１０８が組付けられている。
【００３２】
前記本体部１０８における入賞空間１２２の底部１２２ａは、図７に示すように、左側から右側に向かうにつれて下方へ緩やかに傾斜しており、入賞空間１２２に入賞したパチンコ球を右側へ案内するよう構成される。また、前記本体部１０８には、入賞空間１２２内の左端側に、薄板状の案内片１２４が、その前端面１２４ａを前記本体開口部１２０に臨ませた状態で水平な姿勢で設けられている。図９に示すように、前記案内片１２４の前端面１２４ａは、左側から右側に向かうにつれて後方に傾斜しており、該案内片１２４の前端面１２４ａに当接したパチンコ球を右方へ案内するよう構成されている。
【００３３】
前記本体部１０８(下ケース１１２)における入賞空間１２２の後面を画成する後壁部１２１には、図７に示すように、該入賞空間１２２の右側に偏倚した位置に、前方に開放して入賞空間１２２内に開口すると共に下方に開口する球通路１３０が設けられている。すなわち、入賞空間１２２に入賞したパチンコ球は、入賞空間１２２の底部１２２ａや前記案内片１２４の前端部１２４ａにより右方へ案内されて、該球通路１３０を通過して下方へ排出されるよう構成される。また、前記下ケース１１２には、図７に示すように、球通路１３０の前側に球検知スイッチ１１０が取付けられており、該球検知スイッチ１１０の前後方向に開放する検知部１３２をパチンコ球が通過することで、球払出装置により所定数の賞球が前記上球皿２４に払出されるようになっている。
【００３４】
前記下ケース１１２の左側部には、前記第２ソレノイド１０４を設置するための設置部１３４が設けられており、該設置部１３４にバネ部材１３６が巻装されたプランジャ１０４ａを前方へ延出させた状態で第２ソレノイド１０４が設置される。前記プランジャ１０４ａには、前記下ケース１１２に左右方向に軸支され、該プランジャ１０４ａの前後移動に伴って上下方向に揺動する連繋部材１３８が連結されている。この連繋部材１３８には、前方へ延出する揺動アーム１４０が一体成形されており、該揺動アーム１４０の先端部が開閉扉７４の被連繋部(後述)１４２に連繋するよう構成される。なお、連繋部材１３８は、前記第２ソレノイド１０４が非励磁状態では、前記揺動アーム１４０の先端部を下方に指向させた姿勢となり(図１２参照)、第２ソレノイド１０４が励磁状態では、揺動アーム１４０の先端部を上方に指向させた姿勢となる(図１３参照)。
【００３５】
図５に示すように、前記本体部１０８の前部には、前記本体開口部１２０を挟むよう左右に離間して一対の支持部１４４,１４４が前方に突出して設けられている。各支持部１４４は、前記下ケース１１２に設けた下支持体１４６および前記上ケース１１６に設けた上支持体１４８から構成されており、上ケース１１６および下ケース１１２を組付けた際に、下支持体１４６および上支持体１４８が上下に合わさって前記支持部１４４を形成するようになっている。各支持部１４４には、左右方向に貫通した貫通孔１５０が形成され、開閉扉７４を軸支する支軸ピン１５２,１５２を両貫通孔１５０,１５０に挿通するよう構成されている。両支持部１４４,１４４の離間間隔は、前記開閉扉７４の横幅寸法より僅かに大きく設定されており、両支持部１４４,１４４の間に開閉扉７４を配設し得るよう構成される。
【００３６】
図７に示すように、前記下支持体１４６は、上方および側方に開放したＵ字状に形成され、前記支軸ピン１５２を回動自在に保持するよう構成される。前記上支持体１４８は、上ケース１１６の前部における左右の端部から直線的に突出するよう形成され、上ケース１１６を下ケース１１２に取付けた際に、上支持体１４８の下面が下支持体１４６の上面に当接して前記貫通孔１５０を画成するよう構成される。ここで、図１０に示すように、前記上支持体１４８の左右の幅寸法は、下支持体１４６の左右の幅寸法より小さく設定されており、上支持体１４８が支軸ピン１５２に接触する範囲は、下支持体１４６に較べて小さくなっている。すなわち、上支持体１４８の幅寸法を小さくすることで、支持部１４４と支軸ピン１５２との接触量を低減している。なお、前記支軸ピン１５２は、前記貫通孔１５０を介して開閉扉７４の軸受凹部１５４(後述)に挿通した状態で、該支軸ピン１５２の外側の端部が下支持体１４６の側端面より僅かに内側に位置するようになっている。
【００３７】
前記下ケース１１２の左右の側部には、前方を指向する取付面部１５６,１５６が側方へ突出して形成されており、各取付面部１５６に前後方向に開放する通孔１５６ａが開設されている。また、前記下ケース１１２の下面には、図１１に示すように、位置決め凹部１５８が複数凹設されており、板状部材１０６の対応する位置決め片１６０(後述)が位置決め凹部１５８に整合するよう構成される。
【００３８】
〔開閉扉について〕
前記開閉扉７４は、図５に示すように、前記特別入賞口６０の開口形状に略合致する横長矩形板状に形成されている。前記開閉扉７４の左側下端部および右側下端部には、夫々、前記支持部１４４の貫通孔１５０に整合する位置に、軸受凹部１５４が側方へ開放するよう設けられている。そして、前記開閉扉７４を本体部１０８の両支持部１４４,１４４の間に臨ませて、各軸受凹部１５４を貫通孔１５０に整列させたもとで、貫通孔１５０を介して支軸ピン１５２を対応の軸受凹部１５４に挿入することで、開閉扉７４が本体部１０８に回動自在に支持される。また、図１２,１３に示すように、前記開閉扉７４の裏面(特別入賞口６０を閉鎖した状態で入賞空間１２２に臨む面)における左側下端部には、前記連繋部材１３８側に開放したＵ字状の被連繋部１４２が形成されており、該被連繋部１４２に連繋部材１３８の揺動アーム１４０が連繋している。そして、連繋部材１３８が揺動することで、被連繋部１４２が揺動アーム１４０により上下に変位して、開閉扉７４が支軸ピン１５２を中心として回動するよう構成されている。
【００３９】
すなわち、図１２に示すように、開閉扉７４は、前記第２ソレノイド１０４が非励磁状態にあっては、該開閉扉７４の軸支された側の端部とは反対側の端部(以下、開放端部１６２という)が上方を指向して前記特別入賞口６０を閉鎖する閉鎖姿勢となる。一方、前記第２ソレノイド１０４が励磁状態にあっては、図１３に示すように、開閉扉７４の開放端部１６２が前方を指向して特別入賞口６０を開放すると共に該特別入賞口６０の下縁部から前方に延出した開放姿勢まで姿勢変化可能に構成されている。そして、パチンコ球を流下するパチンコ球は、開放姿勢となった開閉扉７４で受け止められて、前記特別入賞口６０へ案内されるよう構成される。なお、開閉扉７４は、前記プランジャ１０４ａに設けられたバネ部材１３６の弾性力により、常には特別入賞口６０を閉鎖する方向へ付勢されている。また、開閉扉７４の開放端部１６２は、閉鎖姿勢にあって下方から上方に向かうにつれて後方に湾曲した薄肉形状とされており、針金等の器具で開閉扉７４の開放端部１６２を引っ掛け難くしている。
【００４０】
前記開閉扉７４の左側縁部(案内部材側の側縁部とは反対側の側縁部)１６４に、開放姿勢にある開閉扉７４上を転動するパチンコ球が当接して、該開閉扉７４からの落下を規制する規制部１６６が設けられている。前述したように、実施例に係るパチンコ機１０では、右打ちをした場合に効率よく特別入賞口６０へパチンコ球を送り得る構成とされているので、開放姿勢にある開閉扉７４に対しパチンコ球が右側から流下して受け止められる場合が多い。そのため、開閉扉７４で受け止められたパチンコ球は、該開閉扉７４上を右から左へ転動することとなる。そこで、実施例では、開閉扉７４の左側縁部１６４に規制部１６６を設けることで、該開閉扉７４上を左方へ転動するパチンコ球を規制部１６６に当接させて、開閉扉７４から落下するのを規制している。
【００４１】
前記規制部１６６は、開閉扉７４の左側縁部１６４に沿って延在するリブ状に形成され、図８に示すように、開放姿勢にある開閉扉７４の裏面から規制部１６６が上方へ突出する高さ(突出高さｈ)は、パチンコ球の半径ｒ以上に設定されている。また、開閉扉７４が開放姿勢にあって、規制部１６６の前端面１６６ａは、開閉扉７４の開放端部１６２より後方に位置しており、開閉扉７４を閉成する際に、規制部１６６が特別入賞口６０の上縁部に干渉しないようになっている。すなわち、前記規制部１６６の開閉扉７４からの突出高さｈおよび規制部１６６の左側縁部１６４に沿う方向の延在長さは、開閉扉７４の開閉動作に支障が生じない範囲で極力大きく設定される。また、図１４に示すように、前記開閉扉７４が開放姿勢にあって、前記規制部１６６の前端面１６６ａは、前側から後側に向けて左方(案内部材から離間する方向)へ傾斜している。このように、規制部１６６の前端面１６６ａに傾斜を付すことで、開閉扉７４における規制部１６６の前端面１６６ａより前方のスペースにあるパチンコ球(図１４のＰ参照)を該前端面１６６ａで左方へ案内して、開閉扉７４から速やかに落下させる構成とされる。これにより、開閉扉７４が閉鎖する際に、該開閉扉７４と特別入賞口６０の上縁部との間にパチンコ球が挟み込まれるのを防止している。
【００４２】
前記開閉扉７４の右側縁部７６には、前記球検知スイッチ１１０の検知部１３２の前方位置に、膨出部１６８が開放姿勢の開閉扉７４の裏面から上方に突出するよう形成されている。前記膨出部１６８は、開閉扉７４が開放姿勢となった際に、前記球通過口７８の下方に臨むよう形成されており、該球通過口７８を通過したパチンコ球が膨出部１６８に当接するよう構成されている。この膨出部１６８は、開閉扉７４が開放姿勢にあって、右方から左方へ向けて(側縁部から反対側の側縁部へ向けて)下方傾斜するよう形成され、膨出部１６８に当接したパチンコ球が左方へ弾かれるようになっている。すなわち、図１４に示すように、球通過口７８を介して流下したパチンコ球が膨出部１６８に当接して左方へ分散され、パチンコ球が球検知スイッチ１１０の検知部１３２に集中的に流入するのを防止している。なお、この膨出部１６８の前部は、開閉扉７４が開放姿勢にあって、前方へ下方傾斜するよう形成されており、該膨出部１６８の前方にパチンコ球が滞留し難くなっている。
【００４３】
〔板状部材について〕
前記板状部材１０６は、前面に所要の装飾が施された平板状の装飾板であって、該板状部材１０６に設けた前後方向に開放する複数の通孔１０６ａを介してネジ止めすることで、板状部材１０６が遊技盤１８の盤面に固定される。また、図６に示すように、板状部材１０６の裏面に後方へ突出する一対の固定ボス１７０,１７０が設けられ、各固定ボス１７０の後端面を対応する本体部１０８の前記取付面部１５６に当接させ、通孔１５６ａを介して固定ネジ１１８でネジ止めすることで、板状部材１０６は本体部１０８に固定される。更に、板状部材１０６には、前後方向に開放する取付開口部１７２,１７２が左右に離間して２つ開設され、各取付開口部１７２に、所要の発光演出を行なう発光装飾体１７４の発光面部１７６が臨むよう配設される。
【００４４】
前記発光装飾体１７４は、光透過性を備えると共に表面に光散乱処理が施された前記発光面部１７６と、該発光面部１７６の後面に配設されてＬＥＤ等の発光素子を複数備えた発光基板１７８とから構成される。図６に示すように、前記発光面部１７６の後面には、複数の固定ボス１７０が後方へ突出して設けられ、前記発光基板１７８に設けた通孔１７８ａを介して固定ネジ１１８を固定ボス１７０に螺挿することで、発光基板１７８が発光面部１７６にネジ止めされる。また、前記発光面部１７６の左右の後面に、前後方向に開放する通孔１８０ａが開設された嵌合取着部１８０,１８０が設けられ、各嵌合取着部１８０を板状部材１０６の後面に設けた被嵌合ボス１８２に嵌合させた状態で該嵌合取着部１８０の通孔１８０ａを介して被嵌合ボス１８２のネジ孔１８２ａに固定ネジ１１８を螺挿することで、発光面部１７６(発光装飾体１７４)が板状部材１０６にネジ止めされるようになっている。
【００４５】
前記板状部材１０６の後面には、後方に突出するリブ状の突出壁１８４が特別入賞口６０を囲繞するよう上下左右に設けられている。この突出壁１８４は、板状部材１０６を本体部１０８に取付けた際に、該突出壁１８４の後端面が本体部１０８の前端部に当接するようになっている(図８,９参照)。図１１に示すように、下側の突出壁１８４には、該突出壁１８４から更に後方へ突出する位置決め片１６０が複数形成されており、板状部材１０６を本体部１０８に取付けた際に、位置決め片１６０が前記本体部１０８の位置決め凹部１５８に整合して、板状部材１０６が本体部１０８に位置決めされるようになっている。
【００４６】
また、左右の突出壁１８４,１８４には、左右方向に開放する切欠部１８６が夫々設けられ(図６に一方のみ図示)、各切欠部１８６に台形板状の押え部１８８が後方に突出して形成されている。両押え部１８８,１８８は、板状部材１０６の後面において左右に離間して設けられ、図１５に示すように、板状部材１０６を本体部１０８に取付けた際に、各押え部１８８が対応の支持部１４４の側方に位置して前記貫通孔１５０を閉塞するよう構成されている。各押え部１８８は、前後方向に延在して板状部材１０６を本体部１０８に取付けた際に前記支持部１４４に対向する閉塞面１９０と、該閉塞面１９０の後方に連接された傾斜面１９２とを備えている。
【００４７】
図１０に示すように、両押え部１８８,１８８の閉塞面１９０,１９０の離間距離Ｌ1は、両支持部１４４,１４４(下支持体１４６,１４６)の外側端面の離間距離Ｌ2より僅かに大きく設定されており、板状部材１０６を本体部１０８に取付けた際に、閉塞面１９０,１９０の間に前記支持部１４４,１４４および開閉扉７４が挟まれた状態となる(図１５参照)。また、閉塞面１９０の高さ位置は、前記貫通孔１５０の高さに一致している。前記傾斜面１９２は、図１０,１３に示すように、前側から裏側に向かうにつれて該支持部１４４から離間するよう傾斜しており、板状部材１０６を本体部１０８に取付ける際に、傾斜面１９２で支軸ピン１５２を内側(開閉扉７４側)へ案内し得るになっている。すなわち、前記貫通孔１５０に挿通した支軸ピン１５２が支持部１４４(下支持体１４６)よりも外側に突出していたとしても、板状部材１０６を本体部１０８に取付ける際に、傾斜面１９２が支軸ピン１５２を内側に押込んで、該支軸ピン１５２が板状部材１０６に引っ掛かるのを防止している。
【００４８】
〔実施例の作用〕
次に、前述した実施例に係るパチンコ機１０の作用につき説明する。
【００４９】
先ず始めに、特別入賞装置６２を組立てる場合について説明する。図７に示すように、本体部１０８を構成する下ケース１１２の球通路１３０に、検知部１３２を前方に指向させた状態で球検知スイッチ１１０を配設すると共に、該下ケース１１２の設置部１３４に第２ソレノイド１０４をプランジャ１０４ａを前方に延出させた状態で設置する。次に、前記上ケース１１６を下ケース１１２に上側から被せて、該上ケース１１６に設けた通孔１１６ａ,１１６ａを介して固定ネジ１１８,１１８を下ケース１１２のネジ孔１１２ａ,１１２ａに螺挿して、上ケース１１６を下ケース１１２にネジ止めする。上ケース１１６および下ケース１１２を組付けることにより、図５に示すように、本体開口部１２０および入賞空間１２２が前方に開放した状態で画成され、本体部１０８が完成する。このとき、図３に示すように、前記球検知スイッチ１１０の検知部１３２は、入賞空間１２２の右側に偏倚して開口している。また、上ケース１１６および下ケース１１２を組付けた際に、上ケース１１６の上支持体１４８の下面が下ケース１１２の下支持体１４６の上面に当接して、左右方向に貫通した貫通孔１５０を備えた支持部１４４が形成される。
【００５０】
次に、前記支持部１４４,１４４の間に開閉扉７４を臨ませて、該支持部１４４,１４４の貫通孔１５０,１５０に開閉扉７４の軸受凹部１５４,１５４を整合させる。そして、貫通孔１５０に整合させた各軸受凹部１５４に対し、支軸ピン１５２を貫通孔１５０を介して挿通することで、開閉扉７４が本体部１０８に開閉自在に取付けられる。このとき、前記開閉扉７４の膨出部１６８は、前記球検知スイッチ１１０の検知部１３２の前方に位置する。このように、支持部１４４に左右方向に貫通する貫通孔１５０を設けたので、支軸ピン１５２を貫通孔１５０を介して開閉扉７４の軸受凹部１５４に挿通するだけで、開閉扉７４を簡単に本体部１０８に取付けることが可能となる。しかも、支軸ピン１５２が挿通される貫通孔１５０は、左右方向に貫通していることから、軸受凹部１５４や貫通孔１５０内に塵埃が溜り難く、開閉扉７４に動作不良が生じるのを抑制し得る。また、上支持体１４８の幅寸法を下支持体１４６より小さくしたので、支持部１４４と支軸ピン１５２との摩擦を軽減することができ、開閉扉７４のスムーズな開閉動作を実現し得る。なお、支軸ピン１５２を軸受凹部１５４に対し最大限挿通させた際には、図１０に示すように、支軸ピン１５２の外側の端部が下支持体１４６の外側部に略一致して、支軸ピン１５２が下支持体１４６より外側に突出することはない。
【００５１】
前記板状部材１０６については、前記発光基板１７８を発光面部１７６に取付けた発光装飾体１７４を板状部材１０６の後面にセットし、発光面部１７６の嵌合取着部１８０を被嵌合ボス１８２に嵌合させる。そして、嵌合取着部１８０の通孔１８０ａを介して被嵌合ボス１８２のネジ孔１８２ａに固定ネジ１１８を螺挿することで、取付開口部１７２を介して発光面部１７６が前側に臨んだ状態で発光装飾体１７４が板状部材１０６にネジ止めされる。次に、板状部材１０６を前記本体部１０８に前側から組付けて、該板状部材１０６の突出壁１８４を本体部１０８の前端部に当接させる。このとき、図１１に示すように、板状部材１０６の位置決め片１６０が本体部１０８(下ケース１１２)の位置決め凹部１５８に整合して、板状部材１０６が本体部１０８に対し位置決めされる。そして、前記取付面部１５６に前側から当接する板状部材１０６の固定ボス１７０に対し、取付面部１５６の通孔１５６ａを介して固定ネジ１１８を螺挿することで、板状部材１０６が本体部１０８にネジ止めされる。このとき、図１５に示すように、前記押え部１８８,１８８の閉塞面１９０,１９０が前記支持部１４４,１４４の貫通孔１５０,１５０の側方に位置し、該貫通孔１５０,１５０を閉塞する。
【００５２】
すなわち、２つの押え部１８８,１８８が、両支持部１４４,１４４を外側から挟むように位置して各貫通孔１５０を閉塞し、該貫通孔１５０に挿通された支軸ピン１５２を貫通孔１５０から脱落不能とする。しかも、閉塞面１９０の後方に連接された傾斜面１９２は、前側から後側に向かうにつれて支持部１４４から離間するよう傾斜しているので、仮に支軸ピン１５２が支持部１４４から外側に突出していたとしても、板状部材１０６を本体部１０８に取付ける際に、傾斜面１９２が支軸ピン１５２を内側(開閉扉７４側)へ押込むことができる。従って、支軸ピン１５２が貫通孔１５０から突出していた場合にも、支軸ピン１５２が引っ掛かることなく板状部材１０６を本体部１０８にスムーズに取付けることができる。また、貫通孔１５０から突出した支軸ピン１５２に押え部１８８が引っ掛かって、支軸ピン１５２が折曲したり、板状部材１０６等が破損するのを防止し得る。こうして完成した特別入賞装置６２の本体部１０８を遊技盤１８の取付孔を介して前側から挿入し、板状部材１０６の通孔１０６ａを介して該板状部材１０６を遊技盤１８にネジ止めすることで、特別入賞装置６２が遊技盤１８に取付けられる。
【００５３】
次に、実施例に係るパチンコ機１０の遊技態様について説明する。パチンコ機１０では、操作ハンドル３０の操作により案内レール３２に沿って遊技領域１６に打出されたパチンコ球は、遊技盤１８に設けた遊技釘等に接触して流下方向を変化させながら流下する。ここで、通常の遊技状態においては、常に開放した第１始動口４８へパチンコ球を入賞させるべく、遊技者は左打ちを行なって、パチンコ球を遊技領域１６の左側部に流下させる。第１始動口４８にパチンコ球が入賞すると、特別図柄表示装置４６において所要の特別図柄変動ゲームが開始されると共に、前記球払出装置により所定数の賞球(例えば、４個の賞球)が払出される。そして、特別図柄変動ゲームの結果、特別図柄表示装置４６に特定の図柄組合わせが表示されると大当りとなって、特別遊技が発生する。
【００５４】
特別遊技が発生すると、特別入賞口６０を所定時間(例えば、３０秒)開放させる間に、所定数(例えば、１０球)のパチンコ球を特別入賞口６０に入賞させるラウンド遊技が開始される。特別遊技状態では、図１３に示すように、前記第２ソレノイド１０４が励磁されて前記バネ部材１３６の弾性力に抗してプランジャ１０４ａが後方へ引き込まれ、連繋部材１３８が前記揺動アーム１４０の先端側を上昇させるよう揺動する。これにより、開閉扉７４が前記支軸ピン１５２を中心として回動して閉鎖姿勢から開放姿勢に姿勢変化し、前記特別入賞口６０が開放される。
【００５５】
特別遊技が発生して特別入賞口６０が開放されると、遊技者は、右打ちによりパチンコ球を遊技領域１６の右側下部に流下させて、前記始動案内装置５４を介してパチンコ球を効率的に特別入賞口６０へ入賞させる。すなわち、遊技者は、前記操作ハンドル３０を最大限に回動操作し、右通路４２を介して遊技領域１６の右側下部にパチンコ球を打出す。このとき、右通路４２には遊技釘が植設されていないので、パチンコ球は遊技領域１６の右側下部に比較的速い速度で打出される。遊技領域１６の右側下部に打出されたパチンコ球は、図３に示すように、前記第１案内路７０や第２案内路７２を流下して、始動案内装置５４の球入口６８へ案内される。この球入口６８を介して装飾体８４および取付基板８２の間に流入したパチンコ球は、前記案内部８８の上面を転動して左方へ案内される。
【００５６】
そして、案内部８８を流下したパチンコ球は、該案内部８８の傾斜下端部から放出され、前記球通過口７８により下方へ案内されて、開放姿勢にある開閉扉７４の右側縁部７６側で受け止められる。なお、前記始動入賞装置５０や通過規制部８０により遊技領域１６の左側部へのパチンコ球の流入は規制されるから、始動案内装置５４に案内されることなく遊技領域１６の右側下部を流下したパチンコ球も、殆どが球通過口７８を通過して下方へ案内されることとなる。
【００５７】
前記開閉扉７４に落下したパチンコ球は、図１４に示すように、前記膨出部１６８に当接して左方へ弾かれる。すなわち、膨出部１６８は、開閉扉７４の右側縁部７６における前記球通過口７８を通過したパチンコ球が当接する位置に形成されているから、球通過口７８を通過した殆どのパチンコ球が膨出部１６８に当接する。膨出部１６８にパチンコ球が当接して左方へ弾かれることで、パチンコ球を開閉扉７４上に分散させて多様な動きをさせることができ、遊技の興趣を高めることが可能となる。しかも、パチンコ球を左方へ弾くことで、膨出部１６８の後方に位置する球検出スイッチ１１０の検知部１３２に集中的にパチンコ球が流入するのを防止して、球詰まりが発生するのを抑制することができる。
【００５８】
開閉扉７４上を左方へ転動したパチンコ球が該開閉扉７４の左側縁部１６４に到達すると、該左側縁部１６４に設けた規制部１６６に当接し、パチンコ球が開閉扉７４の左側縁部１６４から落下するのは規制される。すなわち、規制部１６６によりパチンコ球の落下を防止することで、パチンコ球の取りこぼしが軽減されて、パチンコ球を特別入賞口６０へ効率よく入賞させることができる。従って、遊技者が不満感を抱き難くなって、特別遊技の興趣が損なわれるのを抑制し得る。しかも、図８に示すように、規制部１６６の突出高さｈは、パチンコ球の半径ｒ以上に設定されているので、パチンコ球が規制部１６６を乗り越えることを殆ど不能として、パチンコ球が開閉扉７４から落下するのをより確実に抑制することが可能となる。また、規制部１６６は、膨出部１６８と反対側の開閉扉７４の左側縁部１６４に設けたことで、膨出部１６８に当接して左方へ弾かれたパチンコ球が落下するのを規制部１６６で抑制することができる。
【００５９】
入賞空間１２２に入賞したパチンコ球は、入賞空間１２２の底部１２２ａや前記案内片１２４により右方へ案内されて、前記球検知スイッチ１１０の検知部１３２へ向けて転動する。そして、パチンコ球が検知部１３２を通過することで、球払出装置により所定数の賞球が上球皿２４に払出される。なお、前記検知部１３２を通過したパチンコ球は、球通路１３０を介して下方へ排出される。このように、入賞空間１２２の底部１２２ａや案内片１２４によってパチンコ球が効率的に検知部１３２へ案内し得るので、パチンコ球を入賞空間１２２からスムーズに排出して、入賞空間１２２内で球詰まりが発生するのを防止し得る。
【００６０】
前記球検知スイッチ１１０の検知部１３２が所定数のパチンコ球を検知するか、または開閉扉７４を開放してから所定時間が経過すると、ラウンド遊技が終了される。すなわち、前記第２ソレノイド１０４が非励磁状態とされて、前記バネ部材１３６が弾性復帰して前記プランジャが前方へ突出し、図１２に示すように、前記連繋部材１３８が揺動アーム１４０の先端部を下降させるように揺動する。これに伴って、前記開閉扉７４は、開放端部１６２を前方へ指向させた開放姿勢から、該開放端部１６２を上方へ指向させた閉鎖姿勢に姿勢変化して前記特別入賞口６０を閉鎖する。
【００６１】
ここで、図１４に示すように、開閉扉７４における規制部１６６の前方のスペースにパチンコ球が位置した状態で、開閉扉７４が前記閉鎖姿勢に姿勢変化すると、特別入賞口６０の上縁部にパチンコ球が挟み込まれる虞がある。このような挟み込みが発生すると、開閉扉７４が特別入賞口６０を完全に閉鎖できなくなって、パチンコ球を特別入賞口６０へ無制限に入賞させることができる事態が生じてしまう。そこで、実施例に係るパチンコ機１０では、規制部１６６の前端面１６６ａを後方に向かうにつれて左方へ傾斜させたので、規制部１６６の前方にあるパチンコ球については、該前端面１６６ａで左方へ案内することで開閉扉７４から落下させるようになっている。これにより、パチンコ球の挟み込みを防止して、開閉扉７４が閉鎖不能となる事態の発生を抑制することができる。
【００６２】
次に、開閉扉７４が使用により劣化して、該開閉扉７４を交換する必要が生じた場合について説明する。開閉扉７４を交換する際には、先ず始めに、前記板状部材１０６を遊技盤１８から取外して、特別入賞装置６２を遊技盤１８から取外す。次に、板状部材１０６を本体部１０８から取外し、押え部１８８,１８８によって閉塞されていた支持部１４４,１４４の貫通孔１５０,１５０を開放させる。そして、軸受凹部１５４,１５４に挿通された支軸ピン１５２,１５２を貫通孔１５０,１５０を介して抜き出して、開閉扉７４が本体部１０８から取外される。すなわち、実施例に係るパチンコ機１０では、貫通孔１５０,１５０を介して支軸ピン１５２,１５２を抜き出し得るので、本体部１０８を下ケース１１２および上ケース１１６に分解する必要がなく、開閉扉７４を本体部１０８から容易に取外すことができる。
【００６３】
次に、新たな開閉扉７４を支持部１４４,１４４の間に臨ませ、貫通孔１５０,１５０を介して支軸ピン１５２,１５２を軸受凹部１５４,１５４に挿通することで、本体部１０８に開閉扉７４が取付けられる。そして、前記板状部材１０６を本体部１０８に取付けることで、押え部１８８,１８８の閉塞面１９０,１９０が貫通孔１５０,１５０の側方に位置して該貫通孔１５０,１５０を閉塞する。このように、実施例に係るパチンコ機１０によれば、本体部１０８を下ケース１１２、上ケース１１６に分解することなく、新たな開閉扉７４を容易に本体部１０８に取付けることができるので、開閉扉７４の交換作業を極めて効率的に行ない得る。
【００６４】
〔変更例１〕
図１６は、変更例１に係る特別入賞装置６２と透明板２２との位置関係を示す縦断面図である。なお、図１６では、実施例と同一の部材については、同じ符号を付してある。変更例１では、開閉扉７４の左側縁部１６４に設けられる規制部２００は、開閉扉７４が開放姿勢にあって、該規制部２００の前端部２００ａと透明板２２との離間距離ｌがパチンコ球の直径Ｄよりも小さくなるよう構成されている。すなわち、規制部２００の前端部２００ａと透明板２２との離間距離ｌをパチンコ球Ｄの直径より小さくすることで、該規制部２００の前端部２００ａと透明板２２との間をパチンコ球が通過するのを不能とし、開閉扉７４からパチンコ球が落下するのをより確実に防止することができる。
【００６５】
〔変更例２〕
図１７(ａ),(ｂ)は、変更例２に係る特別入賞装置６２を示す縦断面図、図１８は、変更例２に係る特別入賞装置６２を示す正面図である。なお、図１７,１８では、実施例と同一の部材については、同じ符号を付してある。変更例２に係る特別入賞装置６２では、開閉扉７４の左側縁部１６４の略全長に亘って規制部２０２が形成されている。すなわち、変更例２では、規制部２０２の前端縁２０２ａが開閉扉７４の開放端部１６２に近接する位置まで延在しており、該規制部２０２における開閉扉７４の左側縁部１６４に沿う方向の延在長さは、実施例の規制部１６６よりも長くなっている。また、図１８に示すように、板状部材１０６における特別入賞口６０の上縁部を画成する部位に、開閉扉７４が閉鎖姿勢となった際に規制部２０２の前端部２０２ａを収容する収容部２０４が前方に開放して形成されている。すなわち、開閉扉７４が閉成する際に規制部２０２の前端部２０２ａを収容部２０４に収容することで、該規制部２０２の前端部２０２ａが板状部材１０６に干渉するのを防止するようになっている。なお、この収容部２０４の前方開口部２０４ａは、閉鎖姿勢となった開閉扉７４によって前側から閉鎖されるようになっている。
【００６６】
このように、変更例２では、規制部２０２を開閉扉７４の左側縁部１６４の略全長に亘って形成することで、開閉扉７４上を転動するパチンコ球に規制部２０２が確実に当接して、開閉扉７４からのパチンコ球の落下を更に抑制することが可能となる。しかも、板状部材１０６に収容部２０４を設けたので、開閉扉７４の閉成時に規制部２０２の前端部２０２ａが板状部材１０６に干渉することはない。しかも、この収容部２０４の前方開口部２０４ａは、閉鎖姿勢となった開閉扉７４により前側から閉塞されるので、該収容部２０４に塵埃が詰まり難くなって、該塵埃によって開閉扉７４が閉鎖不能となるのを防止し得る。また、収容部２０４の前方開口部２０４ａを開閉扉７４で閉塞することで、該収容部２０４に異物を挿入して開閉扉７４を強制開放するといった不正行為を防止することもできる。
【００６７】
なお、本発明に係る遊技機としては、前述した実施例や変更例のものに限られるものではなく、種々の変更が可能である。
(１) 実施例では、開閉扉の左側縁部に規制部を設けた場合を例示した。しかしながら、必ずしも、開閉扉の左側縁部に規制部を設ける必要はなく、開閉扉の右側縁部に規制部を設けてもよい。例えば、前記始動案内装置が特別入賞口の左側に設けられ、パチンコ球が主に開閉扉の左側から流入する場合、開閉扉に受け止められたパチンコ球は、該開閉扉上を右方へ転動することとなる。そこで、開閉扉の右側縁部に規制部を設けることで、パチンコ球を開閉扉の右側縁部から落下するのを好適に防止することができる。また、遊技盤の構成上、右通路が閉塞されて遊技領域の右側部をパチンコ球が流下し得ないタイプの遊技機においても、開閉扉に対し主に左側からパチンコ球が流入する場合には、規制部は開閉扉の左側縁部に設けられる。すなわち、規制部の設置箇所は、特別遊技時にパチンコ球が開閉扉に対し何れの方向から流入するかに応じて適宜決定される。
(２) 実施例では、特別入賞口を開閉する開閉扉に規制部を設けた場合を例示した。しかしながら、例えば、始動入賞口を開閉する開閉扉に規制部を設けてもよい。すなわち、規制部を設ける入賞装置としては、パチンコ球を開閉扉で受け止めて該パチンコ球が開閉扉上を左右方向に転動する構成であれば、始動入賞装置や普通入賞装置等、各種の入賞装置に適用可能である。
(３) 実施例では、規制部の前端部は、後方に向かうにつれて左方へ傾斜する構成としたが、上記(１)のように、規制部を開閉扉の右側縁部に設けた場合は、規制部の前端部を、後方に向かうにつれて右方へ傾斜させればよい。同様に、実施例では、開閉扉の右側縁部に膨出部を形成したが、開閉扉の規制部を右側縁部に設けた場合には、膨出部は、開閉扉の左側縁部に形成される。
(４) 実施例では、特別入賞装置の本体部を上ケースおよび下ケースから構成すると共に、支持部を上支持体および下支持体から構成し、両上支持体および下支持体により貫通孔が画成されるようにした。しかしながら、必ずしも本体部を上下のケースで構成する必要はなく、１つのケースにより本体部を構成してもよい。この場合、単一の部材で構成された支持部に貫通孔が開設される。
(５) 実施例では、特別入賞装置の開閉扉を開閉さえる駆動手段として、ソレノイドを採用したが、これに限られるものではなく、モータであってもよい。そして、駆動手段の作動により開閉扉を強制的に開閉させる構成に関しても、実施例に示した構成に限定されるものではなく、例えばカム機構を利用したり、ギア機構を利用することで、開閉扉を開閉させるよう構成することができる。
【符号の説明】
【００６８】
１６ 遊技領域，６０ 特別入賞口(入賞口)，６２ 特別入賞装置(入賞装置)
７４ 開閉扉，１０６ 板状部材，１０８ 本体部，１１２ 下ケース
１１６ 上ケース，１２２ 入賞空間，１４４ 支持部，１４６ 下支持体
１４８ 上支持体，１５０ 貫通孔，１５２ 支軸ピン，１５４ 軸受凹部
１８８ 押え部，１９０ 閉塞面，１９２ 傾斜面
【図１】
0005427097.tif 000002
【図２】
0005427097.tif 000003
【図３】
0005427097.tif 000004
【図４】
0005427097.tif 000005
【図５】
0005427097.tif 000006
【図６】
0005427097.tif 000007
【図７】
0005427097.tif 000008
【図８】
0005427097.tif 000009
【図９】
0005427097.tif 000010
【図１０】
0005427097.tif 000011
【図１１】
0005427097.tif 000012
【図１２】
0005427097.tif 000013
【図１３】
0005427097.tif 000014
【図１４】
0005427097.tif 000015
【図１５】
0005427097.tif 000016
【図１６】
0005427097.tif 000017
【図１７】
0005427097.tif 000018
【図１８】
0005427097.tif 000019